(57)【要約】【課題】一旦電源オフの状態になったとしても、視聴者が電源をオンにすれば時間がかからずに起動することができるコンテンツ再生装置を提供すること。【解決手段】ＴＶ受像機１０は、処理部４６および出力部４７への電力供給が停止している状態（待機モード）に、人感センサー３７がユーザーの存在を検知すると、電源制御部４１が処理部４６に電力を供給するように電源部４０を制御する（クイック起動モード）。当該クイック起動モードにおいて、人感センサー３７がユーザーの存在を最後に検知してからの経過時間をタイマー４４が測定する。タイマー４４の測定時間が予め定められた時間に達すると、電源制御部４１が処理部４６への電力供給を停止するように電源部４０を制御し、待機モードへ移行する。このように、ＴＶ受像機１０の周辺にユーザーがいるか否かを検知し、それに合わせてクイック起動モードと待機モードとを適宜切り換える。【選択図】図１
2011139141.tif 000002
【特許請求の範囲】
【請求項１】
電力を供給する電源部と、
コンテンツを処理する処理部と、
上記処理部が処理したコンテンツを出力する出力部とを備えたコンテンツ再生装置であって、
視聴者の存在を検知する人感センサーと、
上記電源部が上記処理部および上記出力部への電力の供給を停止しているときに、上記人感センサーが視聴者を検知すると、上記処理部に電力を供給するように当該電源部を制御する電源制御部とを備えていることを特徴とするコンテンツ再生装置。
【請求項２】
周囲の明るさを検知する光センサーをさらに備え、
上記電源部が上記処理部および上記出力部への電力の供給を停止しているときに、
上記光センサーが検知した明るさが、予め定められた基準を超えた場合には、上記人感センサーに電力を供給するように上記電源制御部が上記電源部を制御し、
上記光センサーが検知した明るさが、予め定められた基準を超えない場合には、上記人感センサーへの電力の供給を停止するように上記電源制御部が上記電源部を制御することを特徴とする請求項１に記載のコンテンツ再生装置。
【請求項３】
上記人感センサーが視聴者の存在を最後に検知した時点からの経過時間を測定するタイマーをさらに備え、
上記電源制御部は、上記タイマーが測定した経過時間が予め定められた時間に達すると、上記処理部への電力の供給を停止するように当該電源部を制御することを特徴とする請求項１または２に記載のコンテンツ再生装置。
【請求項４】
上記人感センサーは、周囲の明るさを検知する光センサー、対象物を撮像する撮像センサー、熱を測定する熱センサー、音を検知する音感センサー、振動を検知する振動センサー、および温度を測定する温度センサーのうち、少なくとも１つのセンサーを備えていることを特徴とする請求項１に記載のコンテンツ再生装置。
【請求項５】
上記処理部は、
放送信号を受信する受信部と、
上記受信部が受信した放送信号を処理して番組を生成する生成部とを備えていることを特徴とする請求項１〜４のいずれか１項に記載のコンテンツ再生装置。
【請求項６】
電力を供給する電源部と、
コンテンツを処理する処理部と、
上記処理部が処理したコンテンツを出力する出力部と、
視聴者の存在を検知する人感センサーとを備えたコンテンツ再生装置の電源制御方法であって、
上記電源部が上記処理部および上記出力部への電力の供給を停止しているときに、上記人感センサーが視聴者の存在を検知すると、上記処理部に電力を供給するように当該電源部を制御するステップを備えていることを特徴とするコンテンツ再生装置の電源制御方法。
【請求項７】
請求項１から５のいずれか１項に記載のコンテンツ再生装置を動作させるプログラムであって、コンピューターを上記の各部として機能させるためのプログラム。
【請求項８】
請求項７に記載のプログラムを記録しているコンピューター読み取り可能な記録媒体。
【発明の詳細な説明】
【技術分野】
【０００１】
本発明は、テレビジョン受像機等を始めとしたコンテンツ再生装置、およびその電源制御方法、ならびにコンテンツ再生装置のプログラム、およびコンピューター読み取り可能な記録媒体に関する。
【背景技術】
【０００２】
近年では、身の回りを囲む電子機器が多くなっている。例えば、印刷機、撮像機、記録再生装置、パソコン、またはテレビジョン受像機等である。これらの電子機器の大半は、電源キー（ボタン）を操作して当該機器に電力を供給したり、電力の供給を停止したりして、当該機器の電源のオン／オフを制御するのが一般的である。そのため、電子機器の使用後に当該電子機器の電源をオフにするためには、その時ごとに電源をオフにして電子機器の電源をオフにする必要がある。したがって、ユーザーが不在中にも電子機器の電源をオフにするまで引き続きオン状態が継続している。すなわち、ユーザーの不注意によって電子機器の使用後に電源をオフにしなかった場合には、不必要な電力消費をもたらし、さらには長時間駆動による電子機器の発熱によって損傷をきたす虞があった。特に、近年のテレビジョン受像機（ＴＶ受像機）等の映像表示装置では、デジタル放送等の新技術に対応するために、回路が複雑化し、大規模化する傾向がある。したがって、このような電子機器を駆動するのには大きな電力が必要であり、大量の発熱を伴うため、機器寿命の短縮が危惧される。
【０００３】
そこで、このような問題を解決するために、特許文献１では、自動的にＴＶ受像機の電源をオフにする技術が開示されている。具体的には、ＴＶ視聴中にユーザーが電源をオフせずに席を離れたときに、一定時間が過ぎた後に自動的に電源をオフにして動作待機モードに切り換えることを特徴としている。本文献に開示されているＴＶ受像機には、人体から発散される遠赤外線を感知する赤外線センサーが搭載されており、当該センサーが人体から発散される遠赤外線を最後に感知してから一定時間が過ぎると、自動的にＴＶ受像機の電源がオフになる。これによれば、ＴＶ受像機の電源をいちいちオフにしなくて済み、不必要な電力の消費を防止し、加熱による機器の損傷防止を実現することができる。
【先行技術文献】
【特許文献】
【０００４】
【特許文献１】特開平６−７８２４６号公報（１９９４年３月１８日公開）
【発明の概要】
【発明が解決しようとする課題】
【０００５】
しかしながら、上記特許文献１に開示されているＴＶ受像機では、自動的に電源がオフにされるため、ＴＶ受像機の全回路への電力供給が停止しているか、あるいはリモコン受光部等の最低限の回路にしか電力が供給されていない。そのため、当該ＴＶ受像機の電源を再びオンにする場合には、ＴＶ受像機の各種回路に電力を供給して各種回路ごとに起動する必要がある。このような電子機器では、電源がオンにされてから当該機器をユーザーが使用できるまでに時間がかかってしまう問題がある。
【０００６】
特に、上述したように、近年のＴＶ受像機は、その回路が複雑化し、大規模化する傾向がある。例えば、ＴＶ受像機では、電子番組表（ＥＰＧ；Electronic Program Guide）データ等の付加情報の取得、またはデジタル放送の復調処理等が必要であり、電力供給からＴＶ受像機の画面が表示されるまでに時間がかかり、そのタイムラグが大きい。
【０００７】
このように、ＴＶ受像機等の電子機器の起動には時間がかかり、ユーザーが実際に当該機器を使用することができる状態になるまでにしばらく待たされることがある。したがって、ユーザーが即座にその電子機器を使用したい場合には、不満の生じることになる。
【０００８】
そこで、本発明は上記課題に鑑みてなされたものであり、その目的は、一旦電源オフの状態になったとしても、視聴者が電源をオンにすれば時間がかからずに起動することができるコンテンツ再生装置、およびその電源制御方法、ならびにコンテンツ再生装置のプログラム、およびコンピューター読み取り可能な記録媒体を提供することにある。
【課題を解決するための手段】
【０００９】
本発明に係るコンテンツ再生装置は、上記課題を解決するために、電力を供給する電源部と、コンテンツを処理する処理部と、上記処理部が処理したコンテンツを出力する出力部とを備えたコンテンツ再生装置であって、視聴者の存在を検知する人感センサーと、
上記電源部が上記処理部および上記出力部への電力の供給を停止しているときに、上記人感センサーが視聴者を検知すると、上記処理部に電力を供給するように当該電源部を制御する電源制御部とを備えていることを特徴としている。
【００１０】
上記構成によれば、処理部および出力部に電力が供給されていない状態で人感センサーが視聴者を検知すると、当該処理部に電力が供給される。処理部および出力部に電力が供給されていない状態とは、コンテンツ再生装置の電源がオフになっている状態である。したがって、本発明によれば、コンテンツ再生装置の電源がオフになっている状態で人感センサーが視聴者を検知すると、処理部に電力が供給される。すなわち、出力部への電力供給は停止したまま、処理部には電力を供給している状態である。この状態において、視聴者がコンテンツ再生装置の電源をオンにした場合、出力部に電力供給をすれば良いだけなので、コンテンツ再生装置を完全に起動するまでにかかる時間が非常に短い。
【００１１】
従来のコンテンツ再生装置では、一旦電源がオフされた後、視聴者が電源をオンにした際に、処理部への電力供給も停止した状態から起動処理を始める。当該処理部は、多くの部材を含んでいるため、起動するためには多くの電力を必要とし、その起動には時間がかかってしまう。それ故、処理部への電力供給も停止した状態から起動すると、コンテンツ再生装置が完全に起動するまで時間がかかり、視聴者はしばらく待たされることになる。
【００１２】
一方、本発明のコンテンツ再生装置では、一旦電源がオフされた後、視聴者が電源をオンにした際に、当該コンテンツ再生装置はすぐに起動するので、実際に視聴するまでに待たされることはない。すなわち、視聴者が即座にコンテンツ再生装置を視聴したい場合には、不満の生じることなくすぐに視聴することができる。
【００１３】
また、本発明に係るコンテンツ再生装置においては、周囲の明るさを検知する光センサーをさらに備え、上記電源部が上記処理部および上記出力部への電力の供給を停止しているときに、上記光センサーが検知した明るさが、予め定められた基準を超えた場合には、上記人感センサーに電力を供給するように上記電源制御部が上記電源部を制御し、上記光センサーが検知した明るさが、予め定められた基準を超えない場合には、上記人感センサーへの電力の供給を停止するように上記電源制御部が上記電源部を制御することを特徴としている。
【００１４】
上記構成によれば、コンテンツ再生装置の周囲の明るさを検知する光センサーを有している。光センサーが検知した明るさが予め定められた基準を超える、すなわち周囲が明るい場合には視聴者がコンテンツ再生装置を利用する可能性が高い。そのため、処理部および出力部への電力供給が停止している状態に、周囲が明るいと光センサーが判断した場合には、人感センサーに電力が供給される。これによって、人感センサーが視聴者を検知すると、処理部に電力が供給され、視聴者がコンテンツ再生装置の電源をオンにすると、すぐに起動することができる。
【００１５】
逆に、光センサーが検知した明るさが予め定められた基準を超えない、すなわち周囲が暗い場合には視聴者がコンテンツ再生装置を利用する可能性は低い。そのため、処理部および出力部への電力供給が停止している状態に、周囲が暗いと光センサーが判断した場合には、人感センサーに電力は供給されない。その結果、人感センサーは動作しないので、人感センサーが視聴者ではないものを誤って視聴者として検知し、処理部に電力を供給されるのを防ぐことができる。したがって、処理部への無駄な電力の供給を抑えることができるので、消費電力を低く抑えることができる。
以上により、本発明に係るコンテンツ再生装置は、光センサーをさらに有することによって、人感センサーの精度をより高めることができる。
【００１６】
また、本発明に係るコンテンツ再生装置においては、上記人感センサーが視聴者の存在を最後に検知した時点からの経過時間を測定するタイマーをさらに備え、上記電源制御部は、上記タイマーが測定した経過時間が所定の時間に達すると、上記処理部への電力の供給を停止するように当該電源部を制御することが好ましい。
【００１７】
上記構成によれば、人感センサーが視聴者の存在を最後に検知した時点から所定の時間が経過すると、処理部への電力供給は停止する。したがって、処理部に電力が供給されている状態であっても、視聴者がしばらく席を外す等して、人感センサーが視聴者を検知しない状態が続くと、自動的に処理部への電力供給を停止する。
【００１８】
すなわち、本発明によれば、視聴者が席を外す等してコンテンツ再生装置の近くからしばらく離れると、自動的に処理部への電力供給は停止する。その後、視聴者がコンテンツ再生装置の近くに再び訪れると、自動的に処理部への電力供給を開始する。このように、本発明に係るコンテンツ再生装置では、周辺に視聴者がいるか否かを検知し、それに合わせて処理部への電力供給を適宜行う。これによれば、視聴者がコンテンツ再生装置の近くから離れると処理部への電力供給を停止するので、無駄な電力を消費することを防ぐことができる。
【００１９】
また、本発明に係るコンテンツ再生装置においては、上記人感センサーは、周囲の明るさを検知する光センサー、対象物を撮像する撮像センサー、熱を測定する熱センサー、音を検知する音感センサー、振動を検知する振動センサー、および温度を測定する温度センサーのうち、少なくとも１つのセンサーを備えていることが好ましい。
【００２０】
上記構成によれば、人感センサーおよび撮像センサーは、高い精度で視聴者を検知することができる。
【００２１】
また、本発明に係るコンテンツ再生装置においては、上記処理部は、放送信号を受信する受信部と、上記受信部が受信した放送信号を処理して番組を生成する生成部とを備えていることが好ましい。
【００２２】
上記構成によれば、電源をオフにした状態からすぐに起動し、視聴することができるテレビジョン受像機が得られる。
【００２３】
また、本発明に係るコンテンツ再生装置の電源制御方法においては、上記課題を解決するために、電力を供給する電源部と、コンテンツを処理する処理部と、上記処理部が処理したコンテンツを出力する出力部と、視聴者の存在を検知する人感センサーとを備えたコンテンツ再生装置の電源制御方法であって、上記電源部が上記処理部および上記出力部への電力の供給を停止しているときに、上記人感センサーが視聴者の存在を検知すると、上記処理部に電力を供給するように当該電源部を制御するステップを備えていることを特徴としている。
【００２４】
上記方法によれば、視聴者が即座にコンテンツ再生装置を視聴したい場合に、不満の生じることなくすぐに視聴することができる。なおかつ、電源をオフにしている状態に消費する電力を低く抑えることができる。
【００２５】
なお、上述したコンテンツ再生装置は、コンピューターによって実現してもよく、この場合には、コンピューターを上記各部として動作させることにより上記コンテンツ再生装置をコンピューターにて実現させるプログラム、およびそれを記録したコンピューター読み取り可能な記録媒体も、本発明の範疇に入る。
【発明の効果】
【００２６】
本発明のコンテンツ再生装置は、一旦電源オフの状態になったとしても、視聴者が電源をオンにすれば時間がかからずに起動することができる効果を奏する。
【図面の簡単な説明】
【００２７】
【図１】本発明の一実施形態に係るサブマイコンの内部構成を示すブロック図である。
【図２】本発明の一実施形態に係るＴＶ受像機の内部構成を示すブロック図である。
【図３】モードを決定する際の液晶表示装置に表示されるメニュー画面の一表示例である。
【図４】本発明の一実施形態に係るＴＶ受像機の電源をオフにした際に、各モードに移行する工程を示すフローチャートである。
【図５】本発明の一実施形態に係るＴＶ受像機の電源をオフにした際に、完全待機モードに切り換える工程を示すフローチャートである。
【図６】本発明の一実施形態に係るＴＶ受像機の電源をオフにした際に、クイック起動モードに切り換える工程を示すフローチャートである。
【図７】本発明の一実施形態に係るＴＶ受像機の電源をオフにした際に、オートクイック起動モードに切り換える工程を示すフローチャートである。
【発明を実施するための形態】
【００２８】
以下では、まず、本発明の一実施形態に係るテレビジョン受像機の全体構成について説明し、その後に当該テレビジョン受像機の電源をオフにした際の機能について詳細に説明する。
【００２９】
（テレビジョン受像機１０の概要）
本実施形態に係るテレビジョン受像機（ＴＶ受像機）１０の概要について、図２を参照して説明する。図２は、ＴＶ受像機１０の内部構成を示すブロック図である。
【００３０】
図２に示すように、ＴＶ受像機１０は、バスに接続されたＣＰＵ（Central Processing Unit）６およびメモリ１を有しており、当該ＴＶ受像機１０の動作は、ＣＰＵ６およびメモリ１に記憶された各種の制御プログラムにより制御される。すなわち、ＴＶ受像機１０では、ＣＰＵ６を含むコンピュータ・システムによって制御されており、ＴＶ受像機１０をコンピュータ・システムによって動作させるためのプログラムはメモリ１に記憶されている。
【００３１】
メモリ１は、通常ＲＡＭ（Random Access Memory）によって構成されるが、一部にＲＯＭ（Read Only Memory）を含んでいても良い。また、書き換え可能なフラッシュメモリ等を含んでいても良い。当該メモリ１には、ＣＰＵ６を動作させるためのＯＳ（Operating System）または各種の制御ソフト等が記憶され、放送波を介して受信した電子番組表（ＥＰＧ；Electronic Program Guide）データ等の番組情報に関するデータ、ＯＳＤ（On Screen Display）表示を行う際に必要となるＯＳＤ用画像データ等が記憶されている。また、メモリ１は、各種制御動作に必要なワークメモリとして働くワーク領域を有している。
【００３２】
ＴＶ受像機１０には、デジタルチューナー部（受信部）１４と共に、アナログチューナー部（受信部）１２が設けられており、アナログ放送も受信可能とされている。また、外部入力部３１には、ハードディスクドライブ（ＨＤＤ）、またはＳＤカード等の固体メモリ、ブルーレイディスク（ＢＤ）、ＤＶＤ（Digital Versatile Disc）、またはコンパクトディスク（ＣＤ）等のディスク装置等、種々の外部機器３０が接続可能とされている。さらに、ＴＶ受像機１０にはＩＰ（Internet Protocol）放送チューナー部（受信部）２３が備えられており、ＩＰ放送の受信も可能とされている。
【００３３】
ＴＶ受像機１０は、上記部材以外にも、ＴＶ受像機１０に放送信号を基に表示画像を生成する生成部として、ＡＶスイッチ部１３、デジタル復調部１５、分離部（ＤＭＵＸ；DeMultiplexer）１６、ビデオデコード／キャプチャー部１７、ビデオセレクター部１８、映像処理部１９、加算回路２０、ＥＰＧ／ＯＳＤ／予約処理部２４、オーディオデコード部２５、オーディオセレクター部２６、選局部３３、および通信制御部３４を有している。また、生成部が生成した画像を出力する出力部４７として、表示制御部２１、液晶表示装置２２、音声出力変換部２７、およびスピーカー２８を有している。さらに、ＴＶ受像機１０は、リモコン受光部３５と、ＯＰＣ（Organic Photo Conductor）センサー（光センサー）３８と、人感センサー３７とを有している。ＯＰＣセンサー３８は、ＴＶ受像機１０の周囲の明るさを検出する。一方、人感センサー３７は、ＴＶ受像機１０を視聴しているユーザーを検知する。
【００３４】
アナログチューナー部１２は、アナログ放送受信用のアンテナ１１を介して受信するアナログテレビ放送信号を選局するもので、選局部３３からの選局指示に応じて受信するチャンネルの選局を行う。当該アナログチューナー部１２からの受信信号は、ＡＶスイッチ部１３において、音声信号と映像信号とに分離され、映像信号はビデオセレクター部１８に入力され、音声信号はオーディオセレクター部２６に入力される。
【００３５】
デジタルチューナー部１４は、デジタル放送受信用アンテナ４０を介して受信するデジタルテレビ放送信号を選局するもので、選局部３３からの選局指示に応じて受信するチャンネルの選局を行う。当該デジタルチューナー部１４からの受信信号は、デジタル復調部１５にて復調され、分離部（ＤＭＵＸ）１６に送られる。
【００３６】
ＩＰ放送チューナー部２３は、電話回線・ＬＡＮ（Local Area Network）等に接続された通信制御部３４を介して受信するＩＰ放送信号を選局するもので、選局部３３からの選局指示に応じて受信する特定のＩＰ放送の選局を行う。当該ＩＰ放送チューナー部２３からの受信信号は、分離部（ＤＭＵＸ）１６に出力される。
【００３７】
分離部（ＤＭＵＸ）１６は、デジタル復調部１５またはＩＰ放送チューナー部２３から入力された多重化された映像データ、および音声データを分離する。分離した映像データをビデオデコード／キャプチャー部１７に送り、音声データをオーディオデコード部２５に送る。さらに、分離部（ＤＭＵＸ）１６は、放送信号に含まれるＥＰＧデータ等のデータを抽出し、ＥＰＧ／ＯＳＤ／予約処理部２４に送る。なお、分離部（ＤＭＵＸ）１６によって抽出された放送信号は、必要に応じてＣＰＵ６による書き込み制御によりメモリ１に記録される。
【００３８】
ビデオデコード／キャプチャー部１７は、分離部（ＤＭＵＸ）１６によって分離された映像データをデコードしたり、映像データに含まれるビデオ情報を静止画としてキャプチャーしたりする。当該ビデオデコード／キャプチャー部１７によってデコードされた映像信号は、ビデオセレクター部１８に送られる。ビデオセレクター部１８には、既に説明したとおり、アナログチューナー部１２からの映像信号が入力されており、また、外部入力部３１からの映像信号も入力されている。ビデオセレクター部１８は、ＣＰＵ６からの制御信号により、これらの入力映像信号から１つの映像信号を選んで出力し、映像処理部１９に送る。
【００３９】
映像処理部１９では、入力された映像信号に対して、例えば、ノイズリダクションの処理、シャープネスの調整、またはコントラストの調整等の映像処理を行い、液晶表示装置２２に対して最適な映像信号となるように映像データを変換する。
【００４０】
表示制御部２１は、受信した映像データを液晶表示装置２２に表示させるための駆動回路を含む部分である。当該表示制御部２１は、加算回路２０によって加算された、ＥＰＧ／ＯＳＤ／予約処理部２４からのＥＰＧデータ、またはＯＳＤデータを映像処理部１９からの映像データに加えて液晶表示装置２２に送る。液晶表示装置２２では、送られてきた映像データを画面上に表示する。
【００４１】
ＥＰＧ／ＯＳＤ／予約処理部２４は、定期的に更新保存されたＥＰＧデータに基づき電子番組表を作成し、また、メモリ１に予め保存されているＯＳＤデータを描画する。当該ＯＳＤデータとは、例えば、予めメモリ１に記憶された設定メニュー画面、音量ケージ、現在時刻、または選局チャンネル等の各種情報を描画するためのデータである。また、ＥＰＧ／ＯＳＤ／予約処理部２４は、電子番組表を利用して番組の予約処理等を行う。
【００４２】
通信制御部３４は、電話回線、ＬＡＮ、またはインターネット等のネットワーク網を介して通信を確立させるように制御を行う。
【００４３】
オーディオデコード部２５は、分離部（ＤＭＵＸ）１６によって分離された音声データをデコードするものである。当該オーディオデコード部２５は、デコードした音声信号をオーディオセレクター部２６に送る。
【００４４】
オーディオセレクター部２６では、ＡＶスイッチ部１３からの音声信号、外部入力部３１からの音声信号、およびオーディオデコード部２５からの音声信号を受け、ＣＰＵ６からの制御によってビデオセレクター部１８で選択された映像信号に対応した音声信号を選択する。選択した音声信号を、音声出力変換部２７を介してスピーカー２８に送る。音声出力変換部２７は、受信した音声信号をスピーカー２８での再生に最適な信号に変換して当該スピーカー２８に供給する。
【００４５】
リモコン受光部３５は、リモートコントローラー３６（以下リモコン３６という）からの光信号を受信して、当該リモコン３６からの制御信号を受け付けるためのものである。後から説明する電源をオフにしたときの起動モードの選択と決定、ＴＶ受像機１０の電源のオン／オフ等、視聴者からの指示は、このリモコン３６を介して行われる。
【００４６】
メモリ１、ＣＰＵ６、ＡＶスイッチ部１３、デジタル復調部１５、分離部（ＤＭＵＸ）１６、ビデオコード／キャプチャー部１７、ビデオセレクター部１８、映像処理部１９、ＩＰ放送チューナー部２３、ＥＰＧ／ＯＳＤ／予約処理部２４、オーディオデコード部２５、オーディオセレクター部２６、外部入力部３１、選局部３３、通信制御部３４、リモコン受光部３５、人感センサー３７、およびＯＰＣセンサー３８はバスを介してサブマイコン３９に接続されている。当該サブマイコン３９は、これらの部材を制御している。
【００４７】
なお、本実施形態に係るＴＶ受像機１０では、リモコン受光部３５および人感センサー３７以外のサブマイコン３９に接続された部材と、アナログチューナー部１２、デジタルチューナー部１４、および加算回路２０とを含めたものを処理部４６としている。また、表示制御部２１、液晶表示装置２２、音声出力変換部２７、およびスピーカー２８を含めたものを出力部４７としている。電源部４０は、サブマイコン３９（Ｐ３）、処理部４６（Ｐ１）、出力部４７（Ｐ２）、リモコン受光部３５（Ｐ４）、および人感センサー３７（Ｐ５）に電力を供給している。当該電源部４０には、コンセント等を通じて外部から電力が供給されている。
【００４８】
（サブマイコン３９の構成）
電源部４０がどの部材に電力を供給するか否かを制御するのがサブマイコン３９である。サブマイコン３９は電源部４０を制御することによって、（１）サブマイコン３９およびリモコン受光部３５以外の部材への電力の供給を停止する完全待機モード、（２）出力部４７への電力の供給を停止するクイック起動モード、（３）処理部４６と出力部４７への電力の供給を停止する待機モードと、上記クイック起動モードとを適宜切り換えるオートクイック起動モードの、３つのモードを実現している。
【００４９】
なお、上記３つのモードは、ＴＶ受像機１０の電源をオフにした際のスタンバイ状態（一部の部材に対しては電力供給を行ったままの状態）でのモードである。これは、一部の部材に対して電力供給を行ったままにし、次にＴＶ受像機１０の電源をオンにするときに備えて待機している状態である。したがって、ＴＶ受像機１０のすべての部材に対して電力供給を停止し、電源部４０に外部から電力が供給されているだけの休止状態（電源部４０から他の部材への電力供給を停止している状態）にすることも可能である。しかし、本実施形態では、ＴＶ受像機１０の電源をオフにしている状態からすばやく起動することを目的としているため、上記３つのモードについて詳しく説明していく。
【００５０】
以下では、まずサブマイコン３９の詳しい構成について、図１を参照して説明する。図１は、サブマイコン３９の内部構成を示すブロック図である。
【００５１】
図１に示すように、サブマイコン３９は、電源制御部４１、設定情報保持部４２、モード判定部４３、およびタイマー４４を有している。電源制御部４１は、ＴＶ受像機１０の電源をユーザーがオフにした際に、どのような制御パターンに基づいて電源部４０を制御し、各モードへ移行するかを決定する。本実施形態では、電源制御部４１が実施する制御パターンとして、（１）処理部４６、出力部４７、および人感センサー３７への電源部４０からの電力の供給を停止させ、完全待機モードへ移行する第１の制御パターンと、（２）出力部４７への電源部４０からの電力の供給を停止させ、クイック起動モードへ移行する第２の制御パターンと、（３）処理部４６と出力部４７とへの電源部４０からの電力の供給を停止させる待機モードと、上記クイック起動モードとを適宜切り換えてオートクイック起動モードへ移行する第３の制御パターンとの３つの制御パターンがある。
【００５２】
ＴＶ受像機１０の電源をオフにした際に実際に使用するモードは、ユーザーによって選択可能となっている。ユーザーが選択したモードは、設定情報としてサブマイコン３９の設定情報保持部４２に格納される。モード判定部４３は、当該設定情報保持部４２に記憶されている設定情報に基づいて、ユーザーによって設定されたモードを判定する。電源制御部４１では上記３つの制御パターンのうち、モード判定部４３が判定したモードに対応する制御パターンに基づいて電源部４０を制御する。
【００５３】
タイマー４４は、人感センサー３７がユーザーの存在を最後に検知した時点からの経過時間を測定する。当該タイマー４４が測定した経過時間が予め定められた時間に達すると、電源制御部４１にクイック起動モードを終了させる構成となっている。具体的には、オートクイック起動モードの際に、電源部４０の処理部４６への電力供給を停止させるように（すなわち待機モードへ移行させるように）電源制御部４１に指示することによって、クイック起動モードを終了させている。このようにして、クイック起動モードから待機モードに切り換えるのを実現している。
【００５４】
なお、タイマー４４にはモード判定部４３が判定したモード情報が出力される。タイマー４４では、モード判定部４３からのモード情報がオートクイック起動モードの場合には起動する。すなわち、オートクイック起動モードの際には、人感センサー３７がユーザーの存在を最後に検知した時点からの経過時間の測定を開始する。一方、完全待機モードまたはクイック起動モードが設定されている場合には起動せず、人感センサー３７がユーザーの存在を検知しても、タイマー４４の機能は無効になる。したがって、完全待機モードまたはクイック起動モードの際には、待機モードに切り換わることはない。
【００５５】
（ＴＶ受像機１０の３つのモード）
上述したように、上記３つのモードのうち、ＴＶ受像機１０の電源をオフにした際に実際に使用するモードは、ユーザーによって選択可能となっている。例えば、ユーザーはリモコン３６を介して３つのモードの中から１つのモードを選択することができる。具体的には、ユーザーによってリモコン３６からリモコン受光部３５を介してサブマイコン３９に指示を与えることができる。リモコン３６は、複数のボタンまたはスイッチ等を備えており、ユーザーによる各種指示を受け付けるためのものである。
【００５６】
以下では、ユーザーが３つのモードの中から所望のモードを設定する工程について、図３を参照して説明する。図３は、モードを設定する際の液晶表示装置２２に表示されるメニュー画面の一表示例である。
【００５７】
まず、ユーザーがリモコン３６を介してＴＶ受像機１０に対してモードの設定を行う旨の指示を与える。すると、表示制御部２１が液晶表示装置２２を制御することによって、液晶表示装置２２にはメニュー画面が表示される。具体的には、当該液晶表示装置２２に、図３に示すように、３つのモードに対応する選択肢が表示される。本実施形態では、クイック起動の設定をするか否かに対して、（ａ）しない、（ｂ）する、（ｃ）する（オート）、の３つの選択肢が表示される。ここで、（ａ）は、完全待機モードに相当し、（ｂ）は、クイック起動モードに相当し、（ｃ）は、オートクイック起動モードに相当する。ユーザーがリモコン３６を介して３つの選択肢の中からいずれか１つを選択すると、表示制御部２３が液晶表示装置２２を制御することによって、選択された選択肢がハイライト表示される（図中では、「しない」がハイライトされている）。そして、ユーザーによって選択された選択肢に対応するモードがサブマイコン３９の設定情報保持部４２に記憶される。そして、液晶表示装置２２は設定画面から抜け出し、通常の画面に戻る。
【００５８】
以上によって、ＴＶ受像機１０が起動中に電源ボタンが押された（電源をオフにする）際に用いられるモードの設定が終了する。したがって、ＴＶ受像機１０が起動中に電源をオフにすると、ユーザーが設定したモードへ移行することになる。そこで、以下では、ＴＶ受像機１０の電源をオフにした際に、ユーザーが設定したモードへ移行する過程について、図４を参照して説明する。図４は、ＴＶ受像機１０の電源をオフにした際に、各モードに移行する工程を示すフローチャートである。
【００５９】
例えば、ＴＶ受像機１０の電源をオフにすると（ステップＳ１）、サブマイコン３９のモード判定部４３は、設定情報保持部４２に記憶されている設定情報を基に、ユーザーが設定したモードを判定する（ステップＳ２）。この際、クイック起動モードの設定をしていない場合には（ＮＯ）、完全待機モードへ移行する（ステップＳ３）。一方、クイック起動モードの設定をしている場合には（ステップＳ２，ＹＥＳ）、クイック起動モードまたはオートクイック起動モードへ移行する。この際、ユーザーがさらにオートクイック起動モードに設定しているか否かを判定する（ステップＳ４）。ユーザーがオートクイック起動モードの設定をしている場合には（ＹＥＳ）、オートクイック起動モードへ移行する（ステップＳ５）。一方、オートクイック起動モードの設定をしていない場合には（ステップＳ４，ＮＯ）、クイック起動モードへ移行する（ステップＳ６）。このようにして、設定情報保持部４２に記憶されている、ユーザーが設定したモードをモード判定部４３が判定し、それに基づいて電源制御部４１は電源部４０に電力を供給させる部材を決定する。
【００６０】
（完全待機モード）
次に、以上のようにして設定がなされたモードに基づいて、サブマイコン３９が当該モードを実行する工程（電源制御方法）について説明する。始めに、完全待機モードを実行する工程について、図５を参照して説明する。図５は、ＴＶ受像機１０の電源をオフにした際に、完全待機モードに切り換える工程を示したフローチャートである。
【００６１】
まず、ユーザーが電源ボタンを押すことによってＴＶ受像機１０の電源オフになると、モード判定部４３が設定情報保持部４２に記憶されている設定情報に基づいて、ユーザーが設定したモードを判定する。モード判定部４３が、当該モードが完全待機モードであると判定した場合の流れを以下に説明する。
【００６２】
モード判定部４３がユーザーによって設定されたモードが完全待機モードであると判定すると、そのモード情報を電源制御部４１およびタイマー４４に出力する。電源制御部４１では、モード判定部４３からの情報に基づいて、出力部４７への電力供給をオフにする（停止する）ように電源部４０を制御する（ステップＳ１１）。次に、処理部４６への電力供給をオフにするように電源部４０を制御し（ステップＳ１２）、同様に人感センサー３７への電力供給もオフにするように電源部４０を制御する（ステップＳ１３）。これによって、サブマイコン３９およびリモコン受光部３５以外の部材への電力供給が停止し、ＴＶ受像機１０は完全待機モードでスタンバイしている状態になっている。
【００６３】
一方、タイマー４４では、モード判定部４３からのモード情報に基づいて、自身の機能を無効化する。したがって、この時点でユーザーがリモコン３６を介してＴＶ受像機１０の電源をオンにしない場合には（ステップＳ１４，ＮＯ）、完全待機モードが無期限に継続される。この際、ユーザーがリモコン３６を介してＴＶ受像機１０の電源をオンにすると（ＹＥＳ）、当該リモコン３６からの光信号をリモコン受光部３５が受信する。リモコン受光部３５では、リモコン３６からの制御信号を、バスを介してサブマイコン３９に伝達する。サブマイコン３９では、リモコン受光部３５からの制御信号に基づいて、電源制御部４１が処理部４６への電力供給をオンにする（開始する）ように電源部４０を制御する（ステップＳ１５）。次に、人感センサー３７への電力供給をオンにするように電源部４０を制御し（ステップＳ１６）、同様に出力部４７人感センサー３７への電力供給もオンにするように電源部４０を制御する（ステップＳ１７）。
【００６４】
このようにして、完全待機モードでスタンバイしていたＴＶ受像機１０の電源をオンにすることによって、ユーザーはＴＶ受像機１０を視聴することができる（ステップＳ１８）。
【００６５】
（クイック起動モード）
次に、クイック起動モードを実行する工程について、図６を参照して説明する。図６は、ＴＶ受像機１０の電源をオフにした際に、クイック起動モードに切り換える工程を示したフローチャートである。
【００６６】
まず、ユーザーが電源ボタンを押すことによってＴＶ受像機１０の電源がオフになると、モード判定部４３が設定情報保持部４２に記憶されている設定情報に基づいて、ユーザーが設定したモードを判定する。モード判定部４３が、当該モードがクイック起動モードであると判定した場合の流れを以下に説明する。
【００６７】
モード判定部４３がユーザーによって設定されたモードがクイック起動モードであると判定すると、そのモード情報を電源制御部４１およびタイマー４４に出力する。電源制御部４１では、モード判定部４３からの情報に基づいて、出力部４７への電力供給をオフにするように電源部４０を制御する（ステップＳ２１）。これによって、出力部４７への電力供給が停止し、ＴＶ受像機１０はクイック起動モードでスタンバイしている状態になっている。
【００６８】
一方、タイマー４４では、モード判定部４３からのモード情報に基づいて、自身の機能を無効化する。したがって、この時点でユーザーがリモコン３６を介してＴＶ受像機１０の電源をオンにしない場合には（ステップＳ２２，ＮＯ）、クイック起動モードが無期限に継続される。この際、ユーザーがリモコン３６を介してＴＶ受像機１０の電源をオンにすると（ＹＥＳ）、当該リモコン３６からの光信号をリモコン受光部３５が受信する。リモコン受光部３５では、リモコン３６からの制御信号を、バスを介してサブマイコン３９に伝達する。サブマイコン３９では、リモコン受光部３５からの制御信号に基づいて、電源制御部４１が出力部４７への電力供給をオンにするように電源部４０を制御する（ステップＳ２３）。
【００６９】
このようにして、クイック起動モードでスタンバイしていたＴＶ受像機１０の電源をオンにすることによって、ユーザーはＴＶ受像機１０を視聴することができる（ステップＳ２４）。
【００７０】
なお、以上で説明したクイック起動モードでは、出力部４７への電力供給は停止し、出力部４７以外の部材には電力が供給されたままの状態である。したがって、ユーザーがＴＶ受像機１０の電源をオンにした場合、出力部４７に電力供給をすれば良いだけなので、クイック起動モードからＴＶ受像機１０を完全に起動するまでにかかる時間が非常に短い（ステップＳ２２以降のステップ）。一方、完全待機モードでは、サブマイコン３９およびリモコン受光部３５以外への電力供給を停止している。したがって、ユーザーがＴＶ受像機１０の電源をオンにした場合、サブマイコン３９およびリモコン受光部３５以外の部材に電力を供給する必要がある。特に、処理部４６は多くの部材を含んでいるため、起動するためには多くの電力を必要とし、その起動には時間がかかる。それ故、完全待機モードからＴＶ受像機１０を完全に起動するまでに時間がかかってしまう（ステップＳ１４以降のステップ）。
【００７１】
以上により、クイック起動モードでは、完全待機モードと比較してＴＶ受像機１０を起動するまでにかかる時間が短い。したがって、ＴＶ受像機１０をクイック起動モードにしていれば、ユーザーがＴＶ受像機１０の電源をオンにした際に、当該ＴＶ受像機１０はすぐに起動するので、実際に視聴するまでに待たされることはない。すなわち、ユーザーが即座にＴＶ受像機１０を視聴したい場合には、不満の生じることなくすぐに視聴することができる。
【００７２】
ここで、クイック起動モードにおいて、タイマー４４を無効化せずに、一定時間だけクイック起動モードにすることも可能である。具体的には、タイマー４４に基づいて、人感センサー３７が最後にユーザーを検知してからの経過時間が予め定められた時間を経過した場合には、電源制御部４１の処理部４６および出力部４７への電力供給をオフにするようにしても良い。すなわち、待機モードに移行する構成にしても良い。あるいは、予め定められた時間の間、ＴＶ受像機１０の電源がオンにされなかった場合には、待機モードに移行するような構成にすることも可能である。
【００７３】
（オートクイック起動モード）
次に、オートクイック起動モードを実行する工程について、図７を参照して説明する。図７は、ＴＶ受像機１０の電源をオフにした際に、オートクイック起動モードに切り換える工程を示したフローチャートである。
【００７４】
まず、ユーザーが電源ボタンを押すことによってＴＶ受像機１０の電源がオフになると、モード判定部４３が設定情報保持部４２に記憶されている設定情報に基づいて、ユーザーが設定したモードを判定する。モード判定部４３が、当該モードがオートクイック起動モードであると判定した場合の流れを以下に説明する。
【００７５】
モード判定部４３がユーザーによって設定されたモードがオートクイック起動モードであると判定すると、そのモード情報を電源制御部４１およびタイマー４４に出力する。電源制御部４１では、モード判定部４３からの情報に基づいて、出力部４７への電力供給をオフにするように電源部４０を制御する（ステップＳ３１）。これによって、出力部４７への電力供給が停止し、ＴＶ受像機１０はクイック起動モードでスタンバイしている状態になっている。
【００７６】
一方、タイマー４４では、モード判定部４３からのモード情報に基づいて、自身の機能を有効化する。したがって、人感センサー３７がユーザーの存在を検知すると、タイマー４４は検知した時点からの経過時間の測定を開始する。なお、人感センサー３７が経過時間を測定し始めてから再びユーザーを検知すると、その経過時間をリセットして、ユーザーを再び検知した時点からまた新たに経過時間を測定し始める。
【００７７】
ここで、人感センサー３７がユーザーを検知した状態で（ステップＳ３２，ＹＥＳ）、ユーザーがリモコン３６を介してＴＶ受像機１０の電源をオンにすると（ステップＳ３９，ＹＥＳ）、当該リモコン３６からの光信号をリモコン受光部３５が受信する。リモコン受光部３５では、リモコン３６からの制御信号を、バスを介してサブマイコン３９に伝達する。サブマイコン３９では、リモコン受光部３５からの制御信号に基づいて、電源制御部４１が出力部４７への電力供給をオンにするように、電源部４０を制御する（ステップＳ４０）。そして、ＴＶ受像機１０は起動し、ユーザーはＴＶ受像機１０を視聴することができる（ステップＳ４１）。
【００７８】
一方、人感センサー３７がユーザーの存在を検知した状態で（ステップＳ３２，ＹＥＳ）、ユーザーがＴＶ受像機１０の電源をオンにしなかった場合には（ステップＳ３９，ＮＯ）、ステップＳ３２に戻り、ユーザーの存在の検知を繰り返し行う。なお、タイマー４４が最後にユーザーを検知した時点から１０分が経過すると（ステップＳ３３，ＹＥＳ）、その情報が電源制御部４１に出力される。電源制御部４１では、タイマー４４からの情報に基づいて、処理部４６への電力供給をオフにするように電源部４０を制御する（ステップＳ３４）。これによって、処理部４６への電力供給を停止し、ＴＶ受像機１０はクイック起動モードから待機モードへ移行する。
【００７９】
なお、人感センサー３７がユーザーを検知することができる範囲外の所からユーザーがリモコン３６を介してＴＶ受像機１０の電源をオンにする場合もある。したがって、タイマー４４の測定時間が１０分未満である場合に（ステップＳ３３，ＮＯ）、ユーザーが人感センサー３７の検知範囲外の所からリモコン３６を介してＴＶ受像機１０の電源をオンにすると（ステップＳ３９，ＹＥＳ）、当該リモコン３６からの光信号をリモコン受光部３５が受信する。リモコン受光部３５では、リモコン３６からの制御信号を、バスを介してサブマイコン３９に伝達する。サブマイコン３９では、リモコン受光部３５からの制御信号に基づいて、電源制御部４１が出力部４７への電力供給をオンにするように、電源部４０を制御する（ステップＳ４０）。そして、ＴＶ受像機１０は起動し、ユーザーはＴＶ受像機１０を視聴することができる（ステップＳ４１）。一方、ユーザーがリモコン３６を介してＴＶ受像機１０の電源をオンにしなかった場合には（ステップＳ３９，ＮＯ）、ステップＳ３２に戻り、ユーザーの存在の検知を繰り返し行う。
【００８０】
以上のように、オートクイック起動モードでは、人感センサー３７が最後にユーザーを検知してからそのまま１０分経過すると、処理部４６への電力供給を停止し、クイック起動モードから待機モードに切り換わる構成になっている。すなわち、ＴＶ受像機１０がクイック起動モードになっている状態であっても、ユーザーがしばらく席を外す等して、人感センサー３７がユーザーを検知しない状態が続くと、自動的に待機モードに移行する。
【００８１】
上述したように、人感センサー３７がユーザーを検知することができる範囲外の所からユーザーがリモコン３６を介してＴＶ受像機１０の電源をオンにする場合もある。したがって、ＴＶ受像機１０が待機モードに移行してから、人感センサー３７がユーザーの存在を検知していない場合でも（ステップＳ３５，ＮＯ）、ユーザーが人感センサー３７の検知範囲外の所からリモコン３６を介してＴＶ受像機１０の電源をオンにすると（ステップＳ３６，ＹＥＳ）、当該リモコン３６からの光信号をリモコン受光部３５が受信する。リモコン受光部３５では、リモコン３６からの制御信号を、バスを介してサブマイコン３９に伝達する。サブマイコン３９では、リモコン受光部３５からの制御信号に基づいて、処理部４６への電力供給をオンにするように電源部４０を制御する（ステップＳ３７）。続けて、サブマイコン３９は、電源制御部４１が出力部４７への電力供給をオンにするように、電源部４０を制御する（ステップＳ４０）。そして、ＴＶ受像機１０は起動し、ユーザーはＴＶ受像機１０を視聴することができる（ステップＳ４１）。一方、ユーザーがリモコン３６を介してＴＶ受像機１０の電源をオンにしなかった場合には（ステップＳ３６，ＮＯ）、ステップＳ３５に戻り、ユーザーを検知するまでユーザーの検知を繰り返し行う。ここで、人感センサー３７がユーザーの存在を検知すると（ＹＥＳ）、その情報が電源制御部４１に出力される。電源制御部４１では、人感センサー３７からの情報に基づいて、処理部４６への電力供給をオンにするように電源部４０を制御する（ステップＳ３８）。これによって、処理部４６への電力供給を開始し、ＴＶ受像機１０は待機モードからクイック起動モードへ移行する。
【００８２】
ここで、ユーザーがリモコン３６を介してＴＶ受像機１０の電源をオンにすると（ステップＳ３９，ＹＥＳ）、当該リモコン３６からの光信号をリモコン受光部３５が受信する。リモコン受光部３５では、リモコン３６からの制御信号を、バスを介してサブマイコン３９に伝達する。サブマイコン３９では、リモコン受光部３５からの制御信号に基づいて、電源制御部４１が出力部４７への電力供給をオンにするように、電源部４０を制御する（ステップＳ４０）。そして、ＴＶ受像機１０は起動し、ユーザーはＴＶ受像機１０を視聴することができる（ステップＳ４１）。なお、ユーザーがＴＶ受像機１０の電源をオンにしなければ（ステップＳ３９，ＮＯ）、ステップＳ３２に戻り、人感センサー３７は引き続きユーザーの存在の検知を繰り返す。
【００８３】
以上のように、オートクイック起動モードでは、クイック起動モードから待機モードに切り換わった後も、人感センサー３７がユーザーの存在を検知するとクイック起動モードに再び切り換わる構成になっている。すなわち、ＴＶ受像機１０が待機モードになっている状態であっても、ユーザーがＴＶ受像機１０の近くに訪れた場合には、自動的にクイック起動モードに移行する。
【００８４】
したがって、オートクイック起動モードでは、ユーザーが席を外す等してＴＶ受像機１０の近くからしばらく離れると、自動的にクイック起動モードから待機モードに切り換わる。その後、ユーザーがＴＶ受像機１０の近くに再び訪れると、自動的に待機モードからクイック起動モードに切り換わる。このように、ＴＶ受像機１０の周辺にユーザーがいるか否かを検知し、それに合わせてクイック起動モードと待機モードとを適宜切り換える。これによれば、ユーザーがＴＶ受像機１０の近くにいるときには、当該ＴＶ受像機１０は常にクイック起動モードでスタンバイしているので、ＴＶ受像機１０の電源をオンにしてもすぐに起動することができる。すなわちＴＶ受像機１０は、一旦電源オフの状態になったとしても、視聴者が電源をオンにすれば時間がかからずに起動することができる。
【００８５】
上述した（図６に示した）クイック起動モードでは、ユーザーがＴＶ受像機１０の電源をオンにするまでクイック起動モードが無期限に継続する。この場合は、ユーザーが外出中、またはしばらく席を外した際にもクイック起動モードが継続されることになる。当該クイック起動モードでは、出力部４７への電力供給が停止している状態であり、換言すれば出力部４７以外の部材へは電力を常に供給している。特に、上述したように処理部４６は多くの部材を含んでいるため、処理部４６を起動したままの状態を維持するためには多くの電力を必要とする。そのため、クイック起動モードでは、ＴＶ受像機１０の電源をオフにしているにも拘らず、ＴＶ受像機１０の消費電力は大きい。そこで、以上で説明したオートクイック起動モードでは、ユーザーが外出中、またはしばらく席を外した際には、自動的に待機モードに切り換わる。これより、ユーザーが外出している間、またはしばらく席を外している間に無駄な電力を消費するのを防ぐことができる。
【００８６】
なお、以上では、人感センサー３７が最後にユーザーを検知した時点から１０分経過した場合に待機モードへ切り換えているが、必ずしもこれに限定されるわけではない。例えば、状況に応じて好適な時間を設定することができる。また、複数の候補をユーザーに掲示し、ユーザーによって選択された時間を採用する構成にしても良い。
【００８７】
また、ＴＶ受像機１０の表示画面の下部等にＬＥＤ（Light Emitting Diode）等の電源ランプを設け、当該電源ランプによってユーザーが現在のＴＶ受像機１０のモードを確認できるようにしても良い。例えば、ＴＶ受像機１０が完全待機モードおよび待機モードのときには電源ランプを赤色に発光させ、クイック起動モードのときには電源ランプをオレンジ色に発光させて、ＴＶ受像機１０の状態監視を行うことも可能である。
【００８８】
さらに、記録再生装置等のＴＶ受像機１０にＨＤＭＩ（High-Definition Multimedia Interface）等でリンクしている電子機器にも本実施形態に係る起動モードを搭載すれば、待機モードに移行させたり、クイック起動モードに移行させたりすることができる。したがって、ＴＶ受像機１０に接続された電子機器も、ＴＶ受像機１０と共にその起動時間を短縮することができる。
【００８９】
（人感センサー３７とＯＰＣセンサー３８との併用）
ここで、ユーザーが外出中、または就寝中等にはＴＶ受像機１０が設置されている室内の電気等は消灯していると考えられる。したがって、室内が暗い場合には、ユーザーはＴＶ受像機１０を利用しない可能性が高い。そこで、ＴＶ受像機１０が有するＯＰＣセンサー３８が、ＴＶ受像機１０の周囲の明るさを検知することによって室内が明るいか否かを判定することができる。ＯＰＣセンサー３８は、例えば、周囲の外光の光量を測定し、当該光量が予め定められた基準量を超えた場合には室内は明るいと判断しても良い。あるいは、ＯＰＣセンサー３８は周囲の照度を測定し、当該照度が予め定められた基準を超えた場合には室内は明るいと判断しても良い。
【００９０】
このようにしてＯＰＣセンサー３８が室内は暗いと判断した場合には、人感センサー３７への電力供給を停止するような構成にしても良い。具体的には、オートクイック起動モードにおいて、処理部４６および出力部４７への電力の供給が停止している場合に（図７のステップ３４）、ＯＰＣセンサー３８が室内は暗いと判断すると、人感センサー３７への電力供給を停止するように電源制御部４１が電源部４０を制御する構成にする。ここで、室内が暗い状態でユーザーが電気等を点灯し、室内が明るくなったのをＯＰＣセンサー３８が検知すると、人感センサー３７に電力を供給するように電源制御部４１が電源部４０を制御する構成にする。
【００９１】
この際、処理部４６および出力部４７への電力の供給が停止している場合に、ＯＰＣセンサー３８が室内は明るいと判断した場合には、人感センサー３７への電力の供給は継続する。
【００９２】
以上の構成によれば、ユーザーが外出中、または就寝中等、ＴＶ受像機１０の周囲が暗い場合には人感センサー３７への供給は停止している。したがって、人感センサー３７は動作していないので、人感センサー３７がユーザーではないものを誤ってユーザーとして検知し、処理部４６に電力が供給されるのを防ぐことができる。このように、ユーザーがＴＶ受像機１０を利用する可能性が高い場合に人感センサー３７に電力が供給されるので、人感センサー３７の精度をより高めることができる。また、人感センサー３７がユーザーではないものを誤ってユーザーとして検知した場合に、いちいち処理部４６に電力が供給されるのを防ぐことができるので、無駄な電力の消費を抑えることができる。
【００９３】
なお、人感センサー３７とＯＰＣセンサー３８とを併用する場合には、処理部４６への電力の供給が停止している状態でも、ＯＰＣセンサー３８には電力が供給されるようにする必要がある。
【００９４】
ここで、人感センサー３７として、対象物を撮像するカメラ等の撮像センサー、音を検知する音感センサー、熱を測定する熱センサー、振動を検知する振動センサー、または温度を測定する温度センサー等が適用できる。
【００９５】
例えば、人感センサー３７が撮像センサーである場合、ＴＶ受像機１０に当該ＴＶ受像機１０を利用するユーザーの顔写真のデータを予め記憶させておく。そして、オートクイック起動モードの待機モードにおいて、ＴＶ受像機１０に人が近づくと、撮像センサーがその人の顔と記憶しているユーザーの顔写真のデータとを照合し、その人がユーザーであるか否かを判断する。撮像センサーがユーザーであると判断した場合には、ＴＶ受像機１０は待機モードからクイック起動モードに移行するように構成する。このようにして、ユーザーの存在を検知することができる。なお、ＴＶ受像機１０には、複数のユーザーのそれぞれの顔写真のデータを記憶させることも可能である。
【００９６】
この際、顔写真のデータの照合を行わずに、撮像センサーが人の顔を検知した時点でクイック起動モードに移行するような構成にしても良い。
【００９７】
また、人感センサー３７が音感センサーである場合、当該音感センサーが検知可能な領域における音（例えば、ユーザーの足音、または話し声等）を音感センサーはキャッチする。オートクイック起動モードの待機モードにおいて、音感センサーが音をキャッチすると、ＴＶ受像機１０は待機モードからクイック起動モードに移行するように構成する。このようにして、ユーザーの存在を検知することができる。
【００９８】
さらに、人感センサー３７は、以上で例示したセンサーを複数有していても良い。複数のセンサーを有することによって、あらゆる手段でユーザーの存在を検知することができる。また、ユーザーが各種センサーを組み合わせて使用することも可能である。例えば、周囲が暗い場合にはＴＶ受像機１０を視聴することがないユーザーにおいては、人感センサー３７とＯＰＣセンサー３８とを併用する設定にする。これによって、室内が暗い場合には、人感センサー３７がユーザーではないものを誤ってユーザーとして検知した場合に、いちいち処理部４６に電力が供給されるのを防ぐことができるので、無駄な電力の消費を抑えることができる。
【００９９】
なお、上述した各種センサーは、必ずしもＴＶ受像機１０自体に搭載しなくても良い。例えば、人感センサー３７をリモコン３６、携帯電話、または端末装置等の携帯電子機器に搭載しておき、ユーザーが当該機器を持ち上げたり、当該機器に近づいたりしたのを人感センサー３７が検知すると、その検知信号をＴＶ受像機１０に送信する構成にしても良い。具体的には、当該人感センサー３７からの検知信号は、リモコン受光部３５または他の受信部等を介して、サブマイコン３９に送信する構成にすれば良い。この場合、人感センサー３７からの検知信号は、光（赤外線）通信、電波通信、または超音波通信等の通信方法によって送信することが可能である。
【０１００】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１０１】
例えば、ＴＶ受像機１０自身でテレビ番組を録画する機能がついている場合に、ＴＶ受像機１０がテレビ番組を録画している間にはオートクイック起動モードが動作しない構成にすると良い。また、ＰＣ内臓ＴＶにオートクイック起動モードを搭載する場合には、ＰＣ内臓ＴＶがプログラム等をダウンロードしている間、またはアップデートをしている間等にオートクイック起動モードが動作しない構成にすると良い。このように、本実施形態に係る起動モードを搭載する電子機器に合わせて、当該電子機器の各種機能が動作中にはオートクイック起動モードを作動させるか否かを決定すれば良い。
【０１０２】
また、以上の説明では、特に、ＴＶ受像機を例にして述べているが、その他にも、電源スイッチによって電源のオン／オフを設定する電子機器、例えば、記録再生装置、またはオーディオコンポ等のＡＶ機器（コンテンツ再生装置）にも本願の発明を適用できることは明らかである。
【０１０３】
（プログラムおよび記録媒体）
最後に、ＴＶ受像機１０に含まれている各部は、ハードウェアロジックによって構成すれば良い。または、次のように、ＣＰＵを用いてソフトウェアによって実現しても良い。
【０１０４】
すなわち、ＴＶ受像機１０は、各機能を実現するプログラムの命令を実行するＣＰＵ、このプログラムを格納した、上記プログラムを実行可能な形式に展開するＲＡＭ、および上記プログラムと各種データとを格納するメモリ等の記憶装置（記録媒体）を備えている。この構成により、本発明の目的は、所定の記録媒体によっても達成できる。
【０１０５】
この記録媒体は、上述した機能を実現するソフトウェアであるＴＶ受像機１０のプログラムのプログラムコード（実行形式プログラム，中間コードプログラム，ソースプログラム）をコンピューターで読み取り可能に記録していれば良い。ＴＶ受像機１０に、この記録媒体を供給する。これにより、コンピューターとしてのＴＶ受像機１０（またはＣＰＵやＭＰＵ）が、供給された記録媒体に記録されているプログラムコードを読み出し、実行すれば良い。
【０１０６】
プログラムコードをテレビジョン受像機１０に供給する記録媒体は、特定の構造または種類のものに限定されない。すなわちこの記録媒体は、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系等とすることができる。
【０１０７】
また、ＴＶ受像機１０を通信ネットワークと接続可能に構成しても、本発明の目的を達成できる。この場合、上記のプログラムコードを、通信ネットワークを介してＴＶ受像機１０に供給する。この通信ネットワークはＴＶ受像機１０にプログラムコードを供給できるものであれば良く、特定の種類または形態に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、または衛星通信網等であれば良い。
【０１０８】
この通信ネットワークを構成する伝送媒体も、プログラムコードを伝送可能な任意の媒体であれば良く、特定の構成または種類のものに限定されない。例えば、ＩＥＥＥ１３９４、ＵＳＢ、電力線搬送、ケーブルＴＶ回線、電話線、またはＡＤＳＬ（Asymmetric Digital Subscriber Line）回線等の有線でも、ＩｒＤＡまたはリモコンのような赤外線、Ｂｌｕｅｔｏｏｔｈ（登録商標）、８０２．１１無線、ＨＤＲ、携帯電話網、衛星回線、または地上波デジタル網等の無線でも利用可能である。なお、本発明は上記プログラムコードが電子的な伝送で具現化された、搬送波に埋め込まれたコンピュータデータ信号の形態でも実現され得る。
【産業上の利用可能性】
【０１０９】
本発明に係るコンテンツ再生装置として、電源スイッチによって電源のオン／オフを設定する電子機器、例えば、テレビジョン受像機、記録再生装置、またはオーディオコンポ等のＡＶ機器も適用でき得る。
【符号の説明】
【０１１０】
１０  テレビジョン受像機
２２  液晶表示装置
３５  リモコン受光部
３６  リモートコントローラー
３７  人感センサー
３９  サブマイコン
４０  電源部
４１  電源制御部
４２  設定情報保持部
４３  モード判定部
４４  タイマー
４６  処理部
４７  出力部
【図１】
2011139141.tif 000003
【図２】
2011139141.tif 000004
【図３】
2011139141.tif 000005
【図４】
2011139141.tif 000006
【図５】
2011139141.tif 000007
【図６】
2011139141.tif 000008
【図７】
2011139141.tif 000009